(57)【要約】      （修正有）【課題】灯油ポリタンクから移動せずそのまま収納できる器具、注ぎ口の灯油切りを灯油ポリタンクへ戻す器具を提供する。【解決手段】収納器具の構造は、従来の灯油容器キャップでねじ込みの付いたものを、半分に割った形をとっている。その片方を蝶つがい２で繋げ、もう一方にバックル３を付けて開閉できるようにしたものである。電動給油ポンプの吸い上げる軸の部分を挟めるように半円状の耐油ラバー４にさらに半円ずつのくり貫きを設け、両脇から挟み、バックルをかけて、従来のキャップ同様にねじ込んで固定して使用するものである。また、ポンプの注ぎ口の灯油切りを灯油容器キャップ型のものに、注ぎ口を誘導する筒を差し込んだ形状をしていて、その底には、小さな穴を設けてあって、垂れてきた灯油を灯油ポリタンクに戻すようにするものである。また、注ぎ口誘導筒を灯油容器キャップと一体化したものである。【選択図】図１
0003153089.tif 000002
【実用新案登録請求の範囲】
【請求項１】
本考案は、灯油容器キャップ型の物を利用した電動給油ポンプの収納器具である。電動給油ポンプの吸い込み口が吸い上げる軸部分より太くなっているため挟む構造にしている。その仕組みは、従来の灯油容器キャップを半分に割って、片方を蝶つがいで繋げ、もう一方にバックルを付けて開閉できるようにしたものである。電動給油ポンプの吸い上げる軸の部分を挟めるように耐油ラバーに半円ずつくり貫きを設け、両脇から挟み、バックルをかけて、従来のキャップ同様にねじ込んで固定することを特徴とする。
【請求項２】
本考案は、灯油容器キャップ型電動ポンプ収納器具に、ポンプ注ぎ口誘導筒を差し込んだものに、ポンプの注ぎ口を入れて灯油切りをするものである。または、灯油容器キャップと注ぎ口誘導筒を一体化したもので灯油切りをするものある。
【考案の詳細な説明】
【技術分野】
【０００１】本考案は、灯油容器キャップ型の電動給油ポンプを挟んで収納する器具及びポンプの注ぎ口の灯油切り器具である。
【背景技術】
【０００２】従来は、電動給油ポンプを使い終わってから、専用のケースに入れて保管するのが一般的であった。しかし、ほとんどの家庭、事務所でもそのまま差し込んで放置しているのが現状である。かすかに灯油の匂いをさせたままである。
【考案の開示】
【考案が解決しようとする課題】
【０００３】電動給油ポンプを差し込んだままにしていると、もちろん蓋はされないままで、電動給油ポンプも横にはみ出したように横たわっていて、引っ掛けて灯油をこぼす危険性がある。本考案は、この課題を解消するためになされたものである。
【課題を解決するための手段】
【０００４】本考案は、灯油容器キャップと同様な形、材質１をしている電動給油ポンプの収納器具である。その構造は、従来の灯油容器キャップでねじ込みの付いたものを、半分に割った形をとっている。その片方を蝶つがい２で繋げ、もう一方にバックル３を付けて開閉できるようにしたものである。電動給油ポンプの吸い上げる軸の部分を挟めるように、半円状の耐油ラバー４を合わせた時に円になるように半円ずつくり貫きを設け、両脇から挟み、バックルをかけて、従来のキャップ同様にねじ込んで固定して使用するものである。また、ポンプの注ぎ口の灯油切りを灯油容器キャップ型のものに、注ぎ口を誘導する筒５を差し込んだ形状をしていて、その底には、小さな穴６を設けてあって、垂れてきた灯油を灯油ポリタンクに戻すようにするものである。
【考案の効果】
【０００５】このようにすれば、電動給油ポンプも灯油ポリタンクに入れたまま収納できるものである。また、灯油ポリタンクの二つの注ぎ口のもう一方の口には、ポンプの注ぎ口の灯油切りに利用できるものである。従って電動給油ポンプの収納とポンプの注ぎ口の灯油切りをひとつの灯油ポリタンクでできるものである。キャップのように密閉するわけではないため、あくまでも収納することを目的とする。
【実施例１】
【０００６】
【図面の簡単な説明】
【０００７】
【図１】本考案を開いた状態の斜視図である。
【図２】本考案の閉じた状態の斜視図である。
【図３】本考案の注ぎ口誘導筒の斜視図である。
【図４】本考案の注ぎ口誘導筒を一体化した斜視図である。
【符号の説明】
【０００８】１  灯油容器キャップと同様な形、材質
２  蝶つがい
３  バックル
４  半円状の耐油ラバー
５  注ぎ口を誘導する筒
６  穴
【図１】
0003153089.tif 000003
【図２】
0003153089.tif 000004
【図３】
0003153089.tif 000005
【図４】
0003153089.tif 000006
【手続補正書】
【提出日】平成21年2月16日(2009.2.16)
【手続補正１】
【補正対象書類名】実用新案登録請求の範囲
【補正対象項目名】全文
【補正方法】変更
【補正の内容】
【実用新案登録請求の範囲】
【請求項１】
本考案は、一つの灯油ポリタンクの二つの給油口を利用して、灯油容器キャップ型の器具二種を用い、電動給油ポンプのポンプ部分とポンプの注ぎ口を二つの給油口に納められるようにした電動給油ポンプの収納器具である。それは、電動給油ポンプの吸い込み口が吸い上げる軸部分より太くなっているため挟む構造にしていて、その仕組みは、従来の灯油容器キャップを縦に半分に割って、電動給油ポンプを挟めるように半円のくり貫きをそれぞれに設け、割れた一方の方を蝶つがいで繋げ、もう一方にバックルを設けて電動給油ポンプの吸い上げる軸の部分を挟んだ状態にして閉じて固定するようにしたものであり、より電動給油ポンプの軸の部分を挟むことができるように半円にくり抜いた状態の耐油ラバーを用い、よりしっかり固定することを特徴とする灯油容器型キャップの電動給油ポンプの軸の部分を収納する器具である。
【請求項２】
本考案は、一つの灯油ポリタンクの二つの給油口の一つを利用して電動給油ポンプの注ぎ口の油切りもするために、もう一方の給油口には、灯油容器キャップ型の物に、ポンプ注ぎ口を誘導する誘導筒を差し込んだ状態にして固定して、その誘導筒の底には小さな穴を設け、注ぎ口より垂れた灯油を容器に戻すことを特徴とする請求項１記載の灯油容器キャップ型の器具と対をなすものであり、一つの灯油ポリタンク内に収納するための電動給油ポンプの注ぎ口の収納器具である。
【手続補正書】
【提出日】平成21年6月1日(2009.6.1)
【手続補正１】
【補正対象書類名】実用新案登録請求の範囲
【補正対象項目名】全文
【補正方法】変更
【補正の内容】
【実用新案登録請求の範囲】
【請求項１】
ネジ切りしてある灯油容器キャップを利用した電動給油ポンプの収納器具であり、電動給油ポンプの吸い込み口が吸い上げる軸部分より太くなっているため両側から挟む構造にしていて、その構造は、灯油容器キャップの上部に電動給油ポンプが入るほどの穴を開けたものを、半分に割った状態にして、片方を蝶つがいで繋げ、もう一方にバックルを付けて両側から挟むようにして電動給油ポンプを固定するようにしたものであり、電動給油ポンプの吸い上げる軸の部分を挟んでも灯油が漏れないように穴を開けた挟む部分に電動給油ポンプを挟めるよう半円づつくり抜いた耐油ラバーを貼り、バックルをかけることにより両側より電動給油ポンプを挟むことができるようにしたものであり、電動給油ポンプを挟んで灯油容器に固定し、ねじ切りが付いているので電動給油ポンプを挟んだまま灯油容器キャップを回してよりしっかりと固定することを特徴とする電動給油ポンプの収納器具。